(57)【要約】【課題】  雨天時等に、車の運転手又は同乗者が車両に乗降する時、濡れないようにすると共に、防水シートの収納を円滑に行なえ、且つ、雨仕舞いの良い車両乗降用雨除け装置を提供する。【解決手段】  防水シート２と、防水シート２を巻き取るための巻き取りドラムと、巻き取りドラムを収納するケース４とを備え、車両５の屋根部６とドア７との間に取り付けられ、車両５への乗降時に雨除けとなる車両乗降用雨除け装置１であって、防水シート２の先端部には車両５のドア７上部に係止する係止部材８が備えられ、巻き取りドラムには巻き取りドラムを巻き取り方向に付勢する弾性体が設けられ、ケース４には開口部９が形成され、ケース４をドア７近傍の車両５の屋根部６に固定し、防水シート２の先端部を車両５のドア７上部に係止して、ドア７を開いた時、防水シート２がドア７と車両５との間に張設されることにより雨除けとなるように構成されている。【選択図】  図４
0003116078.tif 000002
【実用新案登録請求の範囲】
【請求項１】
防水シートと、該防水シートを巻き取るための巻き取りドラムと、該巻き取りドラムを収納するケースとを備え、車両の屋根部とドアとの間に取り付けられ、車両への乗降時に雨除けとなる車両乗降用雨除け装置であって、前記防水シートの先端部には車両のドア上部に係止する係止部材が備えられ、前記巻き取りドラムには該巻き取りドラムを巻き取り方向に付勢する弾性体が設けられ、前記ケースには前記防水シートをケース外に引き出すための開口部が形成され、前記ケースをドア近傍の車両の屋根部に固定し、前記防水シートの先端部を車両のドア上部に係止して、ドアを開いた時、前記防水シートがドアの開放に伴って該ドアと車両との間に張設されることにより雨除けとなるように構成されていることを特徴とする車両乗降用雨除け装置。
【請求項２】
上記巻き取りドラムは、テーパ状に形成されていることを特徴とする請求項１記載の車両乗降用雨除け装置。
【請求項３】
上記開口部は、中央部が両側端よりも高くなるように円弧状に開穿されていることを特徴とする請求項１又は２のいずれかに記載の車両乗降用雨除け装置。
【請求項４】
上記ケースの底部下面には磁石が固着され、且つ、該磁石の近傍には、該磁石と車両の屋根部とを離反させるための把手が設けられていることを特徴とする請求項１，２又は３のいずれか一に記載の車両乗降用雨除け装置。
【請求項５】
上記ケースの外周部は流線形となるように形成されていることを特徴とする請求項１，２，３又は４のいずれか一に記載の車両乗降用雨除け装置。
【請求項６】
上記ケース内の上記開口部中央部近傍に、上記防水シートの幅方向中央部を保持するローラが設けられており、該防水シートが前記開口部から前記ケース外に引き出される時、該防水シートの引き出しを案内し、且つ、該防水シートの幅方向中央部を頂点として、両側部を下方に傾斜させ、水はけを円滑に行なわせることを特徴とする請求項１，２，３，４又は５のいずれか一に記載の車両乗降用雨除け装置。
【請求項７】
上記係止部材は、上記防水シートの先端部に係止される複数本の紐状体と、該紐状体の先端部に固着される吸盤とから成り、該吸盤をドアの上部窓枠部に吸着させるように構成されていることを特徴とする請求項１，２，３，４，５又は６のいずれか一に記載の車両乗降用雨除け装置。
【請求項８】
上記係止部材は、上記前記防水シートの先端部に固着される複数個の吸盤であり、該吸盤をドアの上部窓枠部に吸着させるように構成されていることを特徴とする請求項１，２，３，４，５又は６のいずれか一に記載の車両乗降用雨除け装置。
【考案の詳細な説明】
【技術分野】
【０００１】
本考案は、降雨時等に、運転手又は同乗者が車両の扉を開いて車両に乗降する時、傘を開閉する間等に濡れないようにするために雨除けの機能を備えた車両乗降用雨除け装置に関するものである。
【背景技術】
【０００２】
従来、降雨時又は降雪時等に自動車に乗り込む場合には、傘を差した運転者又は同乗者がまず自動車のドアを開け、傘をたたんだ後で自動車に乗り込み、最後にドアを閉めるのが一般的である。
【０００３】
又、降雨時又は降雪時等に自動車から降りる場合には、運転者又は同乗者が自動車のドアを開け、自動車から降りた後又は降りながら、直ちに傘を広げるのが一般的である。
【０００４】
従って、降雨時又は降雪時等に於いては、運転者や同乗者は自動車に乗降する際に一時的に、傘を差してない状態が発生し、この時、雨や雪等に濡れることは避けられないという問題点があった。
【０００５】
又、雨等が激しい場合や同乗者が身体障害者等である場合には、更に雨等に濡れるという問題点があった。
【０００６】
そこで、このような問題を解決するために、従来から種々の車両乗降用雨除け装置が提案されている。
【０００７】
例えば、特許文献１には、「車体側の収納ケースとドア側の収納ケースとの間に伸長と折り畳み自在となる天蓋を着脱自在に取付け、ドアを閉じた状態で両収納ケースは対向する互いの開口面が衝合して閉じ、その内部に折り畳み自在の天蓋を収納し、ドアを開くと開離した収納ケース間に天蓋が張設される自動車用ドアの雨覆い装置」が開示されている。
【０００８】
又、特許文献２には、「開口部が形成された長尺円筒形状の収納体と、車両の屋根とドアの上部との間に架設される略扇形状のシート部と、収納体の内部に軸設される巻き取り軸と、巻き取り軸をシート部の巻き取り方向に付勢する弾性体とを備えた車両乗降用雨除け装置であって、車両のドアの上部に係止可能なフック状に形成され、収納体に並設された２以上の掛止部と、シート部に配設され、車両の屋根に吸着又は磁着し、引き出し側縁部を車両の屋根に固定する固定部とを備えた車両乗降用雨除け装置」が開示されている。
【特許文献１】特開２００５−１１９５９０号公報
【特許文献２】特開２００３−３０６０４１号公報
【考案の開示】
【考案が解決しようとする課題】
【０００９】
前述したように、特許文献１は、車体側の収納ケースとドア側の収納ケースとの間に伸長と折り畳み自在となる天蓋を設けるものであり、特許文献２は、車両の屋根とドアの上部との間に架設され、巻き取り軸に巻き取り自在である略扇形状のシート部を設けるものであり、夫々車の乗降時の雨除け機能が期待できる。
【００１０】
然しながら、特許文献１に於いては、天蓋の折り畳みを円滑に行なうことが困難であり、折り畳みが不十分であると、天蓋をドアに挟んだり、車の走行中に天蓋が風に煽られという危険性がある。
【００１１】
又、特許文献２に於いては、巻き取り軸が内部に軸設される収納体が、ドアの上部に係止されるので、ドアの開閉による振動によって、収納体の係止が外れる危険性があり、又、収納体の係止が外れると収納体がドアのガラスを破損させる危険性がある。更に、収納体がシート部の下流側に位置するため、収納体内に雨水が侵入する虞があり、収納体内に水が溜まり、ドアの開閉の度に水が飛び散ったり、収納体内が腐食する等の問題点が発生する。
【００１２】
以上の現状に鑑み、本考案は、雨天時等に、車の運転手又は同乗者が車両の扉を開いて車両に乗降する時、傘を開閉する間等に濡れないようにする雨除けの機能を備えると共に、防水シートの収納を円滑に行なえ、且つ、雨仕舞いの良い車両乗降用雨除け装置を提供することを目的とする。
【課題を解決するための手段】
【００１３】
上記の課題を解決すべく、本考案は以下の構成を提供する。
請求項１に係る考案は、防水シートと、該防水シートを巻き取るための巻き取りドラムと、該巻き取りドラムを収納するケースとを備え、車両の屋根部とドアとの間に取り付けられ、車両への乗降時に雨除けとなる車両乗降用雨除け装置であって、前記防水シートの先端部には車両のドア上部に係止する係止部材が備えられ、前記巻き取りドラムには該巻き取りドラムを巻き取り方向に付勢する弾性体が設けられ、前記ケースには前記防水シートをケース外に引き出すための開口部が形成され、前記ケースをドア近傍の車両の屋根部に固定し、前記防水シートの先端部を車両のドア上部に係止して、ドアを開いた時、前記防水シートがドアの開放に伴って該ドアと車両との間に張設されることにより雨除けとなるように構成されていることを特徴とする車両乗降用雨除け装置を提供するものである。
【００１４】
請求項２に係る考案は、上記巻き取りドラムは、テーパ状に形成されていることを特徴とする請求項１記載の車両乗降用雨除け装置を提供するものである。
【００１５】
請求項３に係る考案は、上記開口部は、中央部が両側端よりも高くなるように円弧状に開穿されていることを特徴とする請求項１又は２のいずれかに記載の車両乗降用雨除け装置を提供するものである。
【００１６】
請求項４に係る考案は、上記ケースの底部下面には磁石が固着され、且つ、該磁石の近傍には、該磁石と車両の屋根部とを離反させるための把手が設けられていることを特徴とする請求項１，２又は３のいずれか一に記載の車両乗降用雨除け装置を提供するものである。
【００１７】
請求項５に係る考案は、上記ケースの外周部は流線形となるように形成されていることを特徴とする請求項１，２，３又は４のいずれか一に記載の車両乗降用雨除け装置を提供するものである。
【００１８】
請求項６に係る考案は、上記ケース内の上記開口部中央部近傍に、上記防水シートの幅方向中央部を保持するローラが設けられており、該防水シートが前記開口部から前記ケース外に引き出される時、該防水シートの引き出しを案内し、且つ、該防水シートの幅方向中央部を頂点として、両側部を下方に傾斜させ、水はけを円滑に行なわせることを特徴とする請求項１，２，３，４又は５のいずれか一に記載の車両乗降用雨除け装置を提供するものである。
【００１９】
請求項７に係る考案は、上記係止部材は、上記防水シートの先端部に係止される複数本の紐状体と、該紐状体の先端部に固着される吸盤とから成り、該吸盤をドアの上部窓枠部に吸着させるように構成されていることを特徴とする請求項１，２，３，４，５又は６のいずれか一に記載の車両乗降用雨除け装置を提供するものである。
【００２０】
請求項８に係る考案は、上記係止部材は、上記前記防水シートの先端部に固着される複数個の吸盤であり、該吸盤をドアの上部窓枠部に吸着させるように構成されていることを特徴とする請求項１，２，３，４，５又は６のいずれか一に記載の車両乗降用雨除け装置を提供するものである。
【考案の効果】
【００２１】
本考案の請求項１記載の考案によれば、防水シートと、該防水シートを巻き取るための巻き取りドラムと、該巻き取りドラムを収納するケースとを備え、車両の屋根部とドアとの間に取り付けられ、車両への乗降時に雨除けとなる車両乗降用雨除け装置であって、前記防水シートの先端部には車両のドア上部に係止する係止部材が備えられ、前記巻き取りドラムには該巻き取りドラムを巻き取り方向に付勢する弾性体が設けられ、前記ケースには前記防水シートをケース外に引き出すための開口部が形成され、前記ケースをドア近傍の車両の屋根部に固定し、前記防水シートの先端部を車両のドア上部に係止して、ドアを開いた時、前記防水シートがドアの開放に伴って該ドアと車両との間に張設されることにより雨除けとなるように構成されている車両乗降用雨除け装置を提供するので、雨天時等に、車の運転手又は同乗者が車両の扉を開いて車両に乗降する時、傘を開閉する間等に濡れないようにする雨除けの機能を備えると共に、防水シートの収納を円滑に行なえ、且つ、雨仕舞いの良い車両乗降用雨除け装置を提供できる。
【００２２】
請求項２記載の考案によれば、上記巻き取りドラムは、テーパ状に形成されているので、請求項１記載の考案の効果に加え、防水シートは、ドアの開閉に伴ってドアの回転先端部側が多く引き出され、又は、多く巻き込まれ、ドアの回転基部側が少なく引き出され、又は、少なく巻き込まれることにより、ドアの開閉に対応した防水シートの円滑な引き出し及び巻き込みが行なえる。
【００２３】
請求項３記載の考案によれば、上記開口部は、中央部が両側端よりも高くなるように円弧状に開穿されているので請求項１又は２のいずれかに記載の考案の効果に加え、防水シートが開口部の円弧状に沿って幅方向中央部が高く保持されるので、防水シート上の雨水が防水シート両側端側に円滑に流下し、防水シート側端から落下するので、防水シート上に雨水が貯まることがなく、且つ、雨水がドア側にほとんど流れないので、ドアを水浸しにする虞がなくなる。
【００２４】
請求項４記載の考案によれば、上記ケースの底部下面には磁石が固着され、且つ、該磁石の近傍には、該磁石と車両の屋根部とを離反させるための把手が設けられているので、請求項１，２又は３のいずれか一に記載の考案の効果に加え、ケースを車両の屋根部に容易に取り付けることができると共に、把手を引くことにより容易に取外しができる。
【００２５】
請求項５記載の考案によれば、上記ケースの外周部は流線形となるように形成されているので、請求項１，２，３又は４のいずれか一に記載の考案の効果に加え、ケースによる車両の走行抵抗を少なくすることができると共に、風の抵抗によりケースが外れる危険を防止できる。
【００２６】
請求項６記載の考案によれば、上記ケース内の上記開口部中央部近傍に、上記防水シートの幅方向中央部を保持するローラが設けられており、該防水シートが前記開口部から前記ケース外に引き出される時、該防水シートの引き出しを案内し、且つ、該防水シートの幅方向中央部を頂点として、両側部を下方に傾斜させ、水はけを円滑に行なわせるので、請求項１，２，３，４又は５のいずれか一に記載の考案の効果に加え、防水シートの引き出しが円滑に行なわれると共に、防水シートの防水シート上の雨水が防水シート両側端側に円滑に流下し、防水シート側端から落下するので、防水シート上に雨水が貯まることがなく、且つ、雨水がドア側にほとんど流れないので、ドアを水浸しにする虞がなくなる。
【００２７】
請求項７記載の考案によれば、上記係止部材は、上記防水シートの先端部に係止される複数本の紐状体と、該紐状体の先端部に固着される吸盤とから成り、該吸盤をドアの上部窓枠部に吸着させるように構成されているので、請求項１，２，３，４，５又は６のいずれか一に記載の考案の効果に加え、防水シートのドアへの係止が容易である。
【００２８】
請求項８記載の考案によれば、上記係止部材は、上記前記防水シートの先端部に固着される複数個の吸盤であり、該吸盤をドアの上部窓枠部に吸着させるように構成されているので、請求項１，２，３，４，５又は６のいずれか一に記載の考案の効果に加え、防水シートのドアへの係止が容易である。
【考案を実施するための最良の形態】
【００２９】
以下、実施例を示した図面を参照しつつ本考案の実施の形態を説明する。
図１及び図２に於いて、１は、本考案の車両乗降用雨除け装置であり、車両乗降用雨除け装置１は、防水シート２と、防水シート２を巻き取るための巻き取りドラム３と、巻き取りドラム３を収納するケース４とを備えており、車両５の屋根部６とドア７との間に取り付けられ、車両５への乗降時に雨除けとなるように構成されたものである。尚、ケース４は、底部４ａと、底部４ａ上を所定のスペースを有して被包する上部ケース４ｂとから構成される。又、前記防水シート２は伸縮自在のシートで形成しても良く、特に、幅方向に伸縮し、引き出し方向に伸縮しないシートで形成すると好適である。
【００３０】
そして、前記防水シート２の先端部には車両５のドア７上部に係止する係止部材８，８…が備えられ、前記巻き取りドラム３には巻き取りドラム３を巻き取り方向に付勢する弾性体である板コイルばね９，９が設けられ、前記ケース４には前記防水シート２をケース４外に引き出すための開口部１０が形成され、前記ケース４をドア７近傍の車両５の屋根部６に固定し、前記防水シート２の先端部を車両５のドア７上部に係止して取り付けるように構成されている。尚、前記板コイルばね９は、適度の付勢力に調節され、特に、ドア７を開いて一定位置に保持させた時、防水シート２を介してドア７を閉じる方向に動作させない程度の付勢力に調節される。
【００３１】
又、前記巻き取りドラム３は、前記底部４ａ上に立設する立設板１１，１１に軸支されると共に、ドラム３の胴部がテーパ状に形成されている。従って、防水シート２は、ドア７の開閉に伴ってドア２の回転先端部側が多く引き出され、又は、多く巻き込まれ、ドア２の回転基部側が少なく引き出され、又は、少なく巻き込まれることにより、ドア２の開閉に対応した防水シートの円滑な引き出し及び巻き込みが行なえる。
【００３２】
更に、前記ケース４に形成される前記開口部１０は、中央部が両側端よりも高くなるように円弧状に開穿されており、開口部１０から引き出された防水シート２が開口部１０の形状に沿って幅方向断面が円弧状になるように張設され、幅方向中央部が両側端よりも高くなるように構成され、それによって、防水シート２上の雨水が防水シート２の両側端側に円滑に流れるように構成されている。
【００３３】
更に又、前記ケース４の底部４ａ下面には磁石１２，１２が固着され、ケース４を車両５の屋根部６に磁着させるように構成され、磁石１２，１２の近傍には、磁石１２，１２と車両５の屋根部６とを離反させるための把手１３，１３が設けられている。更に、ケース４の下部からフック部１４が突出して設けられている。尚、前記磁石１２の底面は、好適には、湾曲され、或いは、斜設される屋根部６の上面に沿って密着するように、湾曲、或いは、斜欠されている。
【００３４】
そして、前記ケース４の外周部は空気抵抗を少なくするために流線形となるように形成されている。
【００３５】
又、前記ケース４内の前記開口部１０中央部近傍に、防水シート２の幅方向中央部を保持するローラ１５，１５が設けられており、このローラ１５，１５によって、防水シート２が前記開口部１０からケース４外に引き出される時、防水シート２の引き出しを案内し、且つ、防水シート２の幅方向中央部を頂点として、両側部を下方に傾斜させ、防水シート２上の水はけを円滑に行なわせるように構成されている。
【００３６】
更に、前記係止部材８は、防水シート２の先端部に係止される複数本の紐状体１６，１６…と、紐状体１６，１６…の先端部に固着される吸盤１７，１７…とから成り、吸盤１７，１７…をドア７の上部窓枠部１８に吸着させるように構成されている。
【００３７】
図３は、前記車両乗降用雨除け装置１の側面縦断面図を示し、同図に於いて、１９は、開口部１０内に雨水が侵入しないように防水する防水カバーであり、２０は、前記ケース４を背面側で保持する保持部材であり、２１は、保持部材２０の先端に組み込まれ、車両５の屋根部６に取り付けられる磁石である。尚、磁石２１の底面も、前記磁石１２と同様に、好適には、湾曲され、或いは、斜設される屋根部６の上面に沿って密着するように、湾曲、或いは、斜欠されている。
【００３８】
而して、車両乗降用雨除け装置１を車両５に取り付ける時は、前記フック部１４を車両５のドア７が取り付けられたドア開口部２２上端に係止させ、磁石１２，１２及び保持部材２０の磁石２１を車両５の屋根部６に磁着させてケース４の底部４ａを固着することにより、車両乗降用雨除け装置１を車両５の屋根部６に取り付け、前記防水シート２の先端部に取り付けた吸盤１７，１７…をドア７の上部窓枠部１８に吸着させて取り付ける。
【００３９】
この状態で、図４に示す如く、車両５のドア７を開けば、前記巻き取りドラム３が板コイルばね９の付勢に抗して回転し、ドア７の回転に伴って、防水シート２が開口部１０から引き出されて車両５の屋根部６とドア７の上部との間に防水シート２が張設されて雨除けが形成される。
【００４０】
この時、防水シート２は前記ローラ１５，１５によって案内されて円滑に引き出され、且つ、開口部１０及びローラ１５，１５によって、防水シート２の幅方向中央部を頂点として、両側部が下方に傾斜された状態で引き出される。
【００４１】
この状態で、車両５の運転手、又は、同乗者は車両５への乗り降りが可能となり、降雨、又は、降雪時等、防水シート２によって雨除けの機能が期待できる。この時に、車両の運転手、又は、同乗者は防水シート２の下で傘等を開いたり折り畳んだりすることが可能となり、防水シート２によって雨に濡れることがない。
【００４２】
次に、ドア７を閉めると、前記防水シート２は、板コイルばね９の付勢により巻き取りドラム３に巻き取られてケース４内に収納される。
【００４３】
そして、前記車両乗降用雨除け装置１を取り外す場合は、前記吸盤１７，１７…をドア７の上部窓枠部１８から取り外し、前記磁石２１を車両５の屋根部６から離反させ、更に、前記把手１３，１３を引いて前記磁石１２，１２を車両５の屋根部６から離反させ、フック部１４の係合を外して車両乗降用雨除け装置１を取り外す。
【００４４】
斯くして、前記車両乗降用雨除け装置１は、雨天時等に、運転手、又は、同乗者が車両５のドア７を開いて車両５に乗降する時、傘を開閉する間等に濡れないようにする雨除けの効果を発揮することができると共に、防水シート２の収納も円滑に行なえる。又、車両乗降用雨除け装置１の取付け取り外しも容易である。
【００４５】
更に、前記ケース４が防水シート２よりも上流に位置するためケース４内に水の侵入がなく、又、ケース４の開口部１０には防水カバー１９が取り付けられているので、雨仕舞いが極めて良好である。
【００４６】
又、前記巻き取りドラム３は、テーパ状に形成されているので、防水シート２は、ドア７の開閉に伴ってドア７の回転先端部側が多く引き出され、又は、多く巻き込まれ、ドア７の回転基部側が少なく引き出され、又は、少なく巻き込まれることにより、ドア７の開閉に対応した防水シート２の円滑な引き出し及び巻き込みが行なえる。
【００４７】
更に、前記開口部１０は、幅方向中央部が両側端よりも高くなるように円弧状に開穿されていることにより、防水シート２が開口部１０の円弧状に沿って幅方向中央部が高く保持され、防水シート２上の雨水が防水シート２両側端側に円滑に流下し、防水シート２側端から落下するので、防水シート２上に雨水が貯まることがなく、且つ、雨水がドア側にほとんど流れないので、ドアを水浸しにする虞がなくなる。
【００４８】
更に又、ケース４の底部４ａ下面には磁石１２，１２が固着され、且つ、磁石１２，１２の近傍には、磁石１２，１２と車両５の屋根部６とを離反させるための把手１３，１３が設けられているので、ケース４を車両５の屋根部６に容易に取り付けることができると共に、把手１３，１３を引くことにより容易に取外しができる。
【００４９】
そして、ケース４の外周部は流線形となるように形成されているので、ケース４による車両５の走行抵抗を少なくすることができると共に、風の抵抗によりケース４が外れる危険を防止できる。
【００５０】
又、ケース４内の開口部１０中央部近傍に、防水シート２の幅方向中央部を保持するローラ１５，１５が設けられているので、防水シート２の引き出しが円滑に行なわれると共に、防水シート２の防水シート２上の雨水が防水シート２両側端側に円滑に流下し、防水シート２側端から落下するので、防水シート２上に雨水が貯まることがなく、且つ、雨水がドア７側にほとんど流れないので、ドア７を水浸しにする虞がなくなる。
【００５１】
更に、前記係止部材８は、防水シート２の先端部に係止される複数本の紐状体１６，１６…と、紐状体１６，１６…の先端部に固着される吸盤１７，１７…とから成り、吸盤１７，１７…をドア７の上部窓枠部１８に吸着させるように構成されているので、防水シート２のドア７への係止が容易である。
【００５２】
尚、前記車両乗降用雨除け装置１は、説明の都合上、図に於いて、右前部のドア近傍に取り付けたが、１つ、又は、複数の他のドア近傍に取り付けることも可能であり、然る時も同様の効果が期待できる。
【００５３】
図５及び図６は、前記車両乗降用雨除け装置（図１に於いて１）の係止部材（図１に於いて８）に代えて、異なる係止部材３１を設けたものであり、係止部材３１は、前記防水シート２の先端部に直接固着される吸盤３２から成り、防水シート２の先端部に複数（図５及び図６に於いては４個）の吸盤３２，３２…が取り付けられている。
【００５４】
係止部材３１を設けた場合に於いても、前記係止部材８と同様に防水シート２のドア７への係止が容易であり、係止部材３１を設けた車両乗降用雨除け装置も、前記車両乗降用雨除け装置１と略同様の作用効果が期待できる。
尚、前記係止部材８又は３１に吸盤１７又は３２を用いたが、吸盤１７又は３２に代えて、上部窓枠部に引掛ける引掛け具を用いることも可能である。
【図面の簡単な説明】
【００５５】
【図１】本考案による車両乗降用雨除け装置を車両に取り付けた状態を示す斜視図である。
【図２】（ａ）本考案による車両乗降用雨除け装置の内部を示した斜視図である。（ｂ）本考案による車両乗降用雨除け装置のドラム及びドラムを付勢する板コイルばねを示す正面断面図である。
【図３】本考案による車両乗降用雨除け装置の側面縦断面図である。
【図４】本考案による車両乗降用雨除け装置を車両に取り付け、ドアを開いた状態を示す斜視図である。
【図５】本考案による他の係止部材を備えた車両乗降用雨除け装置を車両に取り付けた状態を示す斜視図である。
【図６】本考案による他の係止部材を備えた車両乗降用雨除け装置を車両に取り付け、ドアを開いた状態を示す斜視図である。
【符号の説明】
【００５６】
１  車両乗降用雨除け装置
２  防水シート
３  巻き取りドラム
４  ケース
５  車両
６  屋根部
７  ドア
８，３１  係止部材
１０  開口部
１２  磁石
１３  把手
１５  ローラ
１６  紐状体
１７，３２  吸盤
１８  上部窓枠部
【図１】
0003116078.tif 000003
【図２】
0003116078.tif 000004
【図３】
0003116078.tif 000005
【図４】
0003116078.tif 000006
【図５】
0003116078.tif 000007
【図６】
0003116078.tif 000008